(57)【特許請求の範囲】
【請求項１】
基体の表裏のいずれか一方の面にストライプ状の磁性層を形成してなる磁気帳票において、
磁気帳票が複数枚連続的に繋がっており、
この個々の磁気帳票を分離するための破断線が設けられており、
この破断線が、前記ストライプ状磁性層の位置と、及びストライプ状磁性層のない位置であって搬送ローラーが通過する位置に配置された切り込み線と、この切り込み線以外の位置に設けられたミシン目線とで構成されていることを特徴とする連続式磁気帳票。
【請求項２】
前記ミシン目線のタイ部が１．０〜１．３ｍｍ、カット部が２．２〜２．５ｍｍであることを特徴とする請求項１に記載の連続式磁気帳票。
【請求項３】
前記磁気帳票が、入場券等のチケットであることを特徴とする請求項１または請求項２に記載の連続式磁気帳票。
【発明の詳細な説明】
【０００１】
【発明の属する技術分野】
本発明は、入場券等に使用される磁気チケットがミシン目線で連続的に繋がった様式をとる連続式磁気帳票に関するもので、特に磁気特性を向上させることにより、磁気チケットの機械上でのエラー率を低下させ、信頼性の向上をさせることを目的とするものである。
【０００２】
【従来の技術】
従来より、磁気チケットは入場券等に用いられ、日時や券種等の可変情報をチケットの磁気層に記録しておき、入場時にこれを機械でチックする方法が広く採用されている。また、繰り返して使用する回数が非常に少ないために、媒体にはコスト面や環境面を考慮して紙（上質紙、コート紙）、合成紙、貼り合わせ紙等が一般的に使用されている。この前記のチケットに磁気情報を記録する場合、磁気情報を記録する発券機と磁気情報を読み取りチェックする機器（リーダー）が必要になる。この際、発券機では連続して多数のチケットを短時間で発行するため、チケット単券をミシン目線で繋げた形状とする場合がある。
【０００３】
しかし、このミシン目線で繋がれた連続磁気チケットを発券機で磁気記録する際、及びゲート機で磁気情報を読み取りチェックする際に、図３及び図４に示すように、単券のチケット形状にて磁気ヘッドや搬送ローラーが通過することになる。この時、券端部に破断線としてのミシン目線１１があると、ミシン切り残り部のタイ部ｔが磁気ヘッド２１や搬送ローラー２２の走行に影響を及ぼし、下記の現象により磁気情報に悪影響を及ぼすことになる。
【０００４】
先ず、磁気ヘッド通過部Ｈのミシン目線１１による影響として、
磁気ヘッド２１は、図３のＡ端を通過する際ミシン切り残りのタイ部ｔによって、特に突入側のＡ端付近で磁気ヘッド２１が正しく磁気層１５に接触せずに部分的に磁気記録不良や磁気読み取り不良を起こしてしまう。また、長期間使用していると磁気ヘッド２１の走行により、ミシン切り残り部タイ部ｔの紙繊維が僅かに剥がれ、これが磁気ヘッド２１に付着して、磁気記録不良を発生させる場合がある。
また、搬送ローラー通過部Ｒのミシン目線１１による影響として、
図４に示すように、搬送ローラー２２がＡ端部に差し掛かった時にミシン切り残り部のタイ部ｔが搬送に影響して、磁気チケット１０基材に僅かな振動を発生させる。この時に磁気ヘッド２１で記録された信号は適性に磁気層１５に伝わらず、磁気記録不良が生じてしまう。これと同様に磁気を読み取る場合についても同様に読み取り不良を起こしてしまう。さらに長期間使用していると搬送ローラー２２にミシン切り残りのタイ部ｔの紙繊維が付着して搬送グリップ力が低下し、搬送不良を生ずることもある。
【０００５】
【発明が解決しようとする課題】
そこで本発明は、上記の問題を解決するために、入場券等に使用される磁気チケットがミシン目線で連続的に繋がった様式をとる連続磁気帳票に対し、磁気データを記録する部分のミシン目線を異なる形状の破断線とすることで磁気特性を向上させ、磁気チケットの機械上でのエラー率を低下させて信頼性の向上を図った連続式磁気帳票を提供することを目的とする。
【０００６】
【課題を解決するための手段】
上記目的を達成するために本発明は、基体の表裏のいずれか一方の面に、その全面、または横方向あるいは縦方向にストライプ状の磁性層１５を形成してなる磁気帳票において、磁気帳票が複数枚連続的に繋がっており、この個々の磁気帳票を分離するための破断線として、ミシン目線１１と切り込み線１２が設けられていることを特徴とする連続式磁気帳票である。
【０００７】
前記磁気帳票が、入場券等のチケットであることを特徴とするものである。
【０００８】
前記切り込み線１２が、磁気帳票の読み取り／書き込み機械の、読み取り／書き込み用ヘッド２１の部分及び帳票送りのための搬送ローラー２２部分の両方、またはヘッド２１の部分のみに相当する位置に設けたことを特徴とするものである。
【０００９】
【発明の実施の形態】
本発明の連続式磁気帳票は、磁気ヘッド通過部分と搬送ローラー通過部分に破断線であるミシン目線を形成せずに、切り込み線によるカット形状とすることにより、磁気記録不良を改善すると共に、磁気チケットの確認作業である機械エラー率を低減して信頼性の向上を図るものである。
【００１０】
この連続式磁気帳票としては、ロール状に巻き取る場合と、Ｚ折形態にジクザクに折る場合の２通りあるが、発券機に小型化が求められる場合は、発券機の外部にチケット用紙である磁気帳票をストックできるＺ折方式の要望が多い。また、ロール形状の場合は、発券機の内部にロールチケットを収納する必要があり、発券機自体が大きくなってしまうデメリットがある。また、発行時にチケットに磁気情報を記録する場合は、連続したチケットを発券機内部で切り取って１片状にした状態で磁気エンコードを行って発券する。すなわち、製品の形態としては、４片単位でＺ折の連続形態とすることが求められ、この時の折り目に当たるミシン繋ぎ部（破断線）の磁気特性の影響に改善効果が得られたものである。
【００１１】
【実施例】
以下、図に基づき本発明の実施例を詳細に説明する。
本発明の実施例においては、１片にしたチケット状態で説明する。
図１は、本発明の一実施例における、連続式磁気帳票の破断線を示す説明図である。
【００１２】
図１に示すように、基材については紙厚２５０〜３００μｍのコート紙の片面に全面サーマルを施し、日時や券種を印字できるような構成としたもので、さらにこの上層に磁気記録層１５を部分的に塗布したものをチケット基材に用いた。なお、用紙は紙、合成紙、貼り合わせ紙等を用いて、紙厚は２００μｍ以上の厚紙に対して特に有効である。
破断線形状については、磁気ヘッド通過部分Ｈの切り込み線１２，１２は磁気ヘッド通過位置のＡ端部とＢ端部に、この磁気ヘツド２１の幅に相当する長さでカットを入れ（実際には上端から４．５ｍｍ迄をミシン目線１１とし、この部分から１２．３ｍｍを切り込み線１２とした）、なお、ミシン目線１１のタイ／カット比率についてはタイ部１．０〜１．３ｍｍ、カット部２．２〜２．５ｍｍとした。また、搬送ローラー２２の通過部分ＲのＡ端部とＢ端部も前記同様の切り込み線１２，１２としたものである。
【００１３】
また、図２は、本発明の他の実施例における、連続式磁気帳票の破断線を示す説明図である。
すなわち、図２に示すように、チケット発行機またはゲート機（磁気読み取り機）によっては機械構造上搬送ローラーによるチケットへの影響がほとんど無い場合がある。その場合は、前記同様に、磁気ヘッド通過部分ＨのＡ端部及びＢ端部のみに切り込み線１２を形成し、搬送ローラー通過部分ＲのＡ端部及びＢ端部は切り込み線１２とせずに、ミシン目線１１仕上げとしたものである。
【００１４】
ここに、チケット券端部の出力ダウンの比率データを表１に示す。
【００１５】
【表１】
0004590738.tif 000002
【００１６】
すなわち、表１に示すように、４片単位でＺ折の連続形態とするチケットにおいて、この時の折り目に当たるミシン繋ぎ部（破断線）の磁気ヘッド通過部と搬送ローラー通過部に切り込み線を形成することにより、磁気特性の影響に改善効果をえることができた。
【００１７】
【発明の効果】
本発明は以上の構成であるから、下記に示す如き効果がある。
本発明は破断線の形状を変更することにより、磁気記録、読み取りエラー率の低減を得るものであり、特に、製品形態がＺ折の場合は、ミシン目線に沿って折られている箇所があり、この部分が効果が高い。
すなわち、券端ミシン目線部分の磁気出力の変動が、３〜１０％（平均値で約６％）向上することが確認された。これによって、磁気記録不良に対するエラー発生率も低減することができる等の優れた効果を奏する。
【図面の簡単な説明】
【図１】本発明の一実施例における、連続式磁気帳票の破断線を示す説明図である。
【図２】本発明の他の実施例における連続式磁気帳票の破断線を示す説明図である。
【図３】従来の連続式磁気帳票の破断線を示す説明図である。
【図４】連続式磁気帳票の券端部における、磁気ヘッドと搬送ローラーの設置位置の説明図である。
【符号の説明】
１０……チケット（連続帳票における）
１１……ミシン目線（破断線）
１２……切り込み線（破断線）
１５……磁気記録層（磁性層）
２１……磁気ヘッド
２２……搬送ローラー
Ａ，Ｂ…券端部
Ｈ……磁気ヘッド通過部分
Ｒ……搬送ローラー通過部分
ｔ……ミシン目のタイ部
【図１】
0004590738.tif 000003
【図２】
0004590738.tif 000004
【図３】
0004590738.tif 000005
【図４】
0004590738.tif 000006